(57)【要約】【課題】運搬性能を有し、任意の場所に容易に設置でき、容量結合を強化して設置場所に制限されることなく信号強度の維持と安定化を図り、環境耐性を高めることができる可搬式人体通信踏台装置を提供する。【解決手段】この可搬式人体通信踏台装置１０は、移動機構部１３を有しかつ固定器（固定器電極３１）に対応する電極補助部材１６を取り付けた踏台部１１と、踏台部と一体的化されかつ移動器（移動器電極３２）に対応する電極補助部材１７を取り付けた立設部１２とを備える。【選択図】図１
2015126483.tif 000002
【特許請求の範囲】
【請求項１】
移動機構部を有しかつ固定器に対応する電極補助部材を取り付けた踏台部と、前記踏台部と一体的化されかつ移動器に対応する電極補助部材を取り付けた立設部とを備えることを特徴とする可搬式人体通信踏台装置。
【請求項２】
前記立設部は前記踏台部に対して立設可能な折り畳み構造部を介して結合されることを特徴とする請求項１記載の可搬式人体通信踏台装置。
【請求項３】
前記立設部は前記踏台部の縁部に設けられることを特徴とする請求項１または２記載の可搬式人体通信踏台装置。
【請求項４】
前記踏台部の前記電極補助部材と前記立設部の前記電極補助部材は一体的に形成されることを特徴とする請求項１〜３のいずれか１項に記載の可搬式人体通信踏台装置。
【請求項５】
前記踏台部と前記立設部は直交するように設けられ、利用者の人体にとって前記踏台部は床面部となりかつ前記立設部は正面部、背面部、または側面部になることを特徴とする請求項１〜４のいずれか１項に記載の可搬式人体通信踏台装置。
【請求項６】
前記踏台部の前記電極補助部材と前記立設部の前記電極補助部材は導電物または誘電物で形成されることを特徴とする請求項１〜５のいずれか１項に記載の可搬式人体通信踏台装置。
【請求項７】
発光特性を有する透明な導電物または誘電物で形成された部材を前記踏台部と前記立設部のいずれかの箇所に設けたことを特徴とする請求項１〜６のいずれか１項に記載の可搬式人体通信踏台装置。
【請求項８】
前記踏台部と前記立設部は略Ｌ字状に構成されることを特徴とする請求項２記載の可搬式人体通信踏台装置。
【発明の詳細な説明】
【技術分野】
【０００１】
本発明は可搬式人体通信踏台装置に関し、特に、運搬および設置が容易な構造・機構を有し、さらに容量結合を強化し信号強度の安定化と環境耐性を高めた可搬式人体通信踏台装置に関するものである。
【背景技術】
【０００２】
近年、人体通信を利用した各種の通信装置が提案されている。人体通信は、人体等の電界伝達媒体を利用し、当該電界伝達媒体において送信情報に基づく電界を誘起させ、さらに誘起した電界を検出して情報の送受信を行う電界通信である。人体通信は主に個人認証に用いられ、人体通信装置は種々の電極を利用して構成される。電極としては、従来、床面に設置されるマット電極、壁面に設けられるタッチ電極等があり、認証動作別の電極が提案されている。しかし、従来の電極は、信号強度の維持や安定化、環境耐性（Ｓ／Ｎ）について考慮されておらず、また設置場所における現地での環境への対処が必要とされていた。
【０００３】
電界通信を行う装置の一例として、特許文献１に開示される電界通信用の補助電極がある。特許文献１の図１に示されるように、人体に携帯される携帯型通信装置（移動器）と、設置型通信装置（固定器）から構成されている。設置型通信装置は、床面に設置される信号電極とグランド電極を備える。さらに、人体が接近する壁面に第１の補助電極が設置され、グランド電極の下面等に第２の補助電極が設置される。第１の補助電極と第２の補助電極はリード線で接続されている。この補助電極によれば、携帯型通信端末と設置型通信装置との間の電界通信において、通信品質の劣化を防止することができる。
【先行技術文献】
【特許文献】
【０００４】
【特許文献１】特開２０１２−９００７５号公報（図１等）
【発明の概要】
【発明が解決しようとする課題】
【０００５】
従来の人体通信装置は、信号強度の維持や安定化、環境耐性（Ｓ／Ｎ）についての考慮、および設置場所の環境への対処が不十分であった。従来の人体通信によれば、設置側の通信装置（固定器）において設置場所の環境による制限を受け、信号強度の安定化を図ることができなかった。さらに、設置側の通信装置に関して運搬可能という発想がなく、設置場所による制限を排除するために自在に移動するということができなかった。
【０００６】
本発明の目的は、上記の課題に鑑み、運搬性能が高く、任意の場所に容易に設置することができ、さらに容量結合を強化することにより、設置場所の環境によって制限されることなく信号強度の維持と安定化を図り、環境耐性を高めることができる可搬式人体通信踏台装置を提供することにある。
【課題を解決するための手段】
【０００７】
本発明に係る可搬式人体通信踏台装置は、上記の目的を達成するため、次のように構成される。
【０００８】
第１の可搬式人体通信踏台装置（請求項１に対応）は、移動機構部を有しかつ固定器（固定器電極）に対応する電極補助部材を取り付けた踏台部と、踏台部と一体的化されかつ移動器（移動器電極）に対応する電極補助部材を取り付けた立設部とを備えるように構成される。
【０００９】
上記の可搬式人体通信踏台装置では、固定器側として、当該固定器（固定器電極）に対応する電極補助部材を備えた踏台部と、移動器（移動器電極）に対応する電極補助部材を備えた立設部とを有する人体通信装置として構成され、かつ踏台部に移動機構部を有するように構成することにより、その移動性によって任意の位置に設置でき、設置場所の環境に依存することなく、人体通信の信号強度を高く維持・安定化することが可能になる。
【００１０】
第２の可搬式人体通信踏台装置（請求項２に対応）は、上記の構成において、好ましくは、立設部は踏台部に対して立設可能な折り畳み構造部を介して結合されることを特徴とする。この構成によって、可搬性能をより高めることができ、収容性も高めることができる。
【００１１】
第３の可搬式人体通信踏台装置（請求項３に対応）は、上記の構成において、好ましくは、立設部は踏台部の縁部に設けられることを特徴とする。
【００１２】
第４の可搬式人体通信踏台装置（請求項４に対応）は、上記の構成において、好ましくは、踏台部の電極補助部材と立設部の電極補助部材は一体的に形成されることを特徴とする。
【００１３】
第５の可搬式人体通信踏台装置（請求項５に対応）は、上記の構成において、好ましくは、踏台部と立設部は直交するように設けられ、利用者の人体にとって踏台部は床面部となりかつ立設部は正面部、背面部、または側面部になることを特徴とする。
【００１４】
第６の可搬式人体通信踏台装置（請求項６に対応）は、上記の構成において、好ましくは、踏台部の電極補助部材と立設部の電極補助部材は導電物または誘電物で形成されることを特徴とする。
【００１５】
第７の可搬式人体通信踏台装置（請求項７に対応）は、上記の構成において、好ましくは、発光特性を有する透明な導電物または誘電物で形成された部材を踏台部と立設部のいずれかの箇所に設けたことを特徴とする。
【００１６】
第８の可搬式人体通信踏台装置（請求項８に対応）は、上記の構成において、好ましくは、踏台部と立設部は略Ｌ字状に構成されることを特徴とする。
【発明の効果】
【００１７】
本発明に係る可搬式人体通信踏台装置によれば、移動機構部を有しかつ固定器（固定器電極）に対応する電極補助部材を取り付けた踏台部と、踏台部と一体的化されかつ移動器（移動器電極）に対応する電極補助部材を取り付けた立設部を備えるようにしたため、移動性を持たせ、運搬性能が高めることにより、任意の場所に移動して容易に設置することができ、さらに容量結合を強化することにより、設置場所の環境に制限されることなく信号強度の維持と安定化を図り、環境耐性を高めることができる。
【図面の簡単な説明】
【００１８】
【図１】本発明の代表的な実施形態に係る可搬式人体通信踏台装置の基本的な構成を概念的に示す側面図である。
【図２】人体通信装置による通信経路を説明する図である。
【図３】立設部の他の構成例を示す斜視図ある。
【図４】立設部の更なる他の構成例を示す斜視図である。
【図５】立設部の更なる他の構成例を示す端面図である。
【図６】他の実施形態に係る可搬式人体通信踏台装置を示す側面図である。
【発明を実施するための形態】
【００１９】
以下に、本発明の好適な実施形態（実施例）を添付図面に基づいて説明する。
【００２０】
図１を参照して本発明に係る可搬式人体通信踏台装置の基本的構成について説明する。図１に示された符号１０は装置全体を指しており、当該装置は人体通信踏台装置である。この人体通信踏台装置１０は、本来的には固定側の人体通信装置（固定器）であり、任意の設置位置に移動して設置することができる可搬式の人体通信装置（固定器）として構成されている。この人体通信踏台装置１０は踏台部１１と立設部１２を備えている。図１において、踏台部１１と立設部１２の形状等は、具体的ではなく、概念的に示されており、破線で示されている。踏台部１１と立設部１２の具体的形状はそのデザイン目的に応じて任意に決定することができる。
【００２１】
踏台部１１はその下側の箇所に例えば４つの車輪１３を備えている。車輪１３は、人体通信踏台装置１０を任意の場所に移動させるための移動機構部として機能する。立設部１２は、踏台部１１の例えば上面縁部に沿って設けられている。縁部は、前縁、後縁、または側縁の任意の位置の縁部である。図示例では、立設部１２は、踏台部１１の前縁部に設けられており、正面部（例えば正面壁部）として形成されている。立設部１２を踏台部１１の後縁部に設けた場合には、当該立設部は背面部（例えば背面壁部）として形成されることになる。さらに立設部１２を踏台部１１の側縁部に設けた場合には、当該立設部は側面部（例えば側面壁部）として形成されることになる。また立設部１２は踏台部１１に対して好ましくは壁部として形成されている。立設部１２は、踏台部１１に対して好ましくは９０°の角度で立てた状態にて設けられている。この構成によれば、人体通信踏台装置１０において、踏台部１１と立設部１２は略Ｌ字状（図示した例では正確には逆Ｌ字状）に構成されている。
【００２２】
図１に示した人体通信踏台装置１０の構造では、踏台部１１と立設部１２は固定的に結合されており、立設部１２は踏台部１１に対して壁部として機能するように設けられている。しかし、さらに一点鎖線（１４）で示すように、踏台部１１と立設部１２の結合部に蝶番構造部１４を設けることにより、折り畳み構造として形成することもできる。使用時には立設部１２を立て、立設部１２に対面するように踏台部１１の上に人１５が乗るようにし、人体通信装置として利用される。不使用時には、踏台部１１に対して立設部１２を折り畳み、容易に移動できるようにし、可搬性能を高めることができる。車輪１３による移動機構部によって、人体通信踏台装置１０を、通信環境が良好な任意の場所に移動させることができる。
【００２３】
さらに図１において、踏台部１１の例えば内部には電極補助部材１６が配置され、立設部１２の例えば内部には他の電極補助部材１７が配置されている。電極補助部材１６，１７は、それぞれ、電界通信における容量結合を強化して信号レベルを改善し、信号レベル強度を維持し安定化する作用を有している。電極補助部材１６，１７は導電体物質（導電物）または誘電体物質（誘電物）で形成されている。２つの電極補助部材１６，１７は接続線１８等で電気的に接続されている。この構成によれば、２つの電極補助部材１６，１７は、電気的構成の観点から、一体的に形成されている。また物の構造として、電極補助部材１６，１７を一体的な物として構成することもできる。
【００２４】
ここで、図２の（Ａ），（Ｂ）を参照して、人体通信（電界通信）について一般的に説明する。図２において（Ａ）は床に設置されたマット電極の上に人が立った状態を示し、（Ｂ）は壁面の前にてマット電極の上に人が立った状態を示している。マット電極は、建物等の床面に設置されたマットの中に電極が付設されたものである。人体通信では、通常、施設２０側（建物や部屋等）に設置される固定器電極２１（固定器側の電極）と、人１５が携帯する移動器電極２２（移動器側の電極）とが使用される。固定器電極２１は本実施形態ではマット電極であり、その他に、床電極、壁側電極等がある。移動器電極２２としてはカードホルダ形態の電極ユニットである。さらに固定器電極２１と移動器電極２２に関して、人１５の人体と強く結合する側の電極を「ホット電極」といい、そうでないもう他方の側を「コールド電極」という。図２の（Ａ），（Ｂ）において、「ホット電極」を記号Ｃｈ１，Ｃｈ２で示しており、「コールド電極」を記号Ｃｃ１，Ｃｃ２で示している。
【００２５】
図２の（Ａ）に示されるように、施設２０の床２０Ａに設置されたマット電極による固定器電極２１の場合には、人１５の人体、移動器電極２２、床２０Ａの間に破線２３に示される通信経路が形成される。当該通信経路２３において、ホット電極Ｃｈ１，Ｃｈ２とコールド電極Ｃｃ１，Ｃｃ２が定義されている。この通信経路２３では、コールド電極Ｃｃ１，Ｃｃ２の側は、マット電極による固定器電極２１の設置環境に応じて結合量が異なる。
【００２６】
他方、図２の（Ｂ）に示すように、人１５の人体の近傍に壁２０Ｂがある場合には、人１５の人体、移動器電極２２、壁２０Ｂ、床２０Ａの間に破線２４に示される通信経路が形成される。この通信経路２４においても、ホット電極Ｃｈ１，Ｃｈ２とコールド電極Ｃｃ１，Ｃｃ２が定義される。この通信経路２４によれば、コールド電極Ｃｃ１，Ｃｃ２は壁２０Ｂと結合するため、全体的な信号強度は、図２の（Ａ）の場合の通信経路２３と比較すると、強くなる。従って、図２の（Ｂ）に示される通信経路２４の状況を常に作り、維持することが信号強度の安定化には好ましい。
【００２７】
再び図１に戻り、説明を続ける。図１において、踏台部１１の上面には例えばマット形態の固定器電極３１（固定器側の電極）が設置されている。図１では、固定器電極３１は、さらに電気的回路要素３１Ａとして概念的に描かれており、信号電極３１ａとグランド電極３１ｂを有する。また踏台部１１における固定器電極３１の上に乗った人１５は移動器電極３２（移動器側の電極）をその身体に備えている。移動器電極３２は、例えば、カードホルダの形態を有し、首に掛けているとする。図１では、移動器電極３２は、さらに電気的回路要素３２Ａとして概念的に描かれており、人体側電極３２ａとグランド電極３２ｂ（空間側電極）を有している。
【００２８】
なお固定器電極３１（３１Ａ）の信号電極３１ａとグランド電極３１ｂは、例えば、設置場所の付近に存する図示しない制御部や信号処理部等と適宜に接続されている。また当該制御部等は、人体通信踏台装置１０の踏台部１１等の内部に設けることもできる。
【００２９】
図１に示した人体通信踏台装置１０の構成によれば、利用者である人１５が、任意の場所に設置された使用状態にある人体通信踏台装置１０の踏台部１１の上に乗ると、立設部１２に対面した状態でマット形態の固定器電極３１（３１Ａ）の上に立つことになる。その結果、太い破線３３で示すように、人１５の人体、移動器電極３２（３２Ａ）、立設部１２内の電極補助部材１７、踏台部１１の電極補助部材１６、固定器電極３１（３１Ａ）に基づいて作られるループ状の通信経路が形成される。この通信経路３３は、図２の（Ｂ）を参照して説明した通信経路２４と同じである。従って、人体通信踏台装置１０を使用すれば、人１５の例えば正面には常に電極補助部材１７を内蔵した立設部１２が設けられているので、その設置場所の環境に依存することなく、人体通信の信号強度を高く維持することができる。また、人体通信踏台装置１０は、その移動機構部（車輪１３）に基づいて任意の場所に移動することできるため、いずれの設置場所においても通信経路３３を形成することができ、設置場所の環境に依存することなく、人体通信の信号強度を高く維持することができる。
【００３０】
図１に示すＬ字型の人体通信踏台装置１０を用いることにより、電極補助部材１６，１７のそれぞれを前述のコールド電極Ｃｃ２，Ｃｃ１の側に配置することにより、図２の（Ｂ）に示すように施設２０の壁２０Ｂが存在しなくても、信号強度の維持および安定化を達成することができる。
【００３１】
上記の実施形態では、踏台部１１の中に電極補助部材１６を設け、立設部１２の中に電極補助部材１７を設けるようにしたが、踏台部１１それ自体（筐体等）および立設部１２それ自体（筐体等）を導電物または誘電物を利用して作ることにより、電極補助部材としての機能を持たせることもできる。
【００３２】
図１に示した人体通信踏台装置１０によれば、使用時において側方から見て踏台部１１と立設部１２によりＬ字型形状を作るように構成したが、図３に示すように立設部１２を前縁部と後縁部に設けてコの字型形状、図４に示すようにさらに発展させて箱形またはアーチ型形状、さらに図５に示すように立設部１２を両側の側縁部に設けてＵ字型形状等に構成することもできる。図５のＵ字型の人体通信踏台装置１０の場合には、立設部１２に回転自在なドア１２ａを設けて、ゲートとして用いることができる。
【００３３】
また踏台部１１の平面形状は、図１に示した例では矩形形状であるが、当該矩形形状には限定されず、任意の形状に変更することができる。例えば、人１５が乗ることを想定して足形に作ることもできる。さらに立設部１２の正面形状についても、通常的には矩形形状であるが、これに限定されない。例えば、三角形状、菱形形状、楕円形状、人体のボディー形状、造花形状等、任意の形状にすることができる。
【００３４】
図６は、他の実施形態に係る人体通信踏台装置４０を示す。この人体通信踏台装置４０は、例えば立設部１２の上部に発光部４１を備えている。踏台部１１や立設部１２の全部または一部は前述の通り導電物や誘電物で作ることもできるので、透明な導電物で作ることもできる。そのため、発光部４１の部材を透明な導電物で作り、さらにＬＥＤ等を設けることにより、発光部４１を設けることができる。この構成によって、例えば、発光部４１の発光動作を通信時の状態に応じて制御することにより人体通信を視覚化することができる。また人体通信踏台装置４０の踏台部１１等の内部には制御部が設けられている。
【００３５】
上記の発光部４１は人体通信踏台装置４０の他の部分に設けることも可能である。例えば、立設部１２の他の箇所、あるいは踏台部１１の足載せ部等に発光部を設けることもできる。
【００３６】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３７】
本発明に係る可搬式人体通信踏台装置は、任意の位置に固定器側の人体通信装置を設置でき、設置場所の環境に依存することなく、人体通信の信号強度を高く維持・安定化することに利用される。
【符号の説明】
【００３８】
１０            人体通信踏台装置
１１            踏台部
１２            立設部
１３            車輪（移動機構部）
１４            蝶番構造部
１５            人（人体）
１６            電極補助部材
１７            電極補助部材
１８            接続線
２０            施設
２０Ａ          床
２０Ｂ          壁
２１            固定器電極
２２            移動器電極
２３            通信経路
２４            通信経路
３１            固定器電極
３１Ａ          電気的回路要素
３１ａ          信号電極
３１ｂ          グランド電極
３２            移動器電極
３２Ａ          電気的回路要素
３２ａ          人体側電極
３２ｂ          グランド電極
３３            通信経路
４０            人体通信踏台装置
４１            発光部
【図１】
2015126483.tif 000003
【図２】
2015126483.tif 000004
【図３】
2015126483.tif 000005
【図４】
2015126483.tif 000006
【図５】
2015126483.tif 000007
【図６】
2015126483.tif 000008